(57)【要約】【課題】既設の照明システムに照明器具を追加した場合、照明器具の制御や管理を行いやすくする。【解決手段】識別情報付与部１５は、追加された照明器具３について、第１データ部に、照明器具３と同じ分類の照明器具２に付与されている識別情報の第１データ部と同じデータを設定し、第２データ部に、照明器具２に付与されている識別情報の第２データ部と異なるデータを設定した識別情報を付与する。通信アドレス設定部１６は、識別情報を、第１データ部をキーとしてソートし、アドレス順がソート結果の順になるように、通信アドレスを設定する。【選択図】図１
2020136129.tif 000002
【特許請求の範囲】
【請求項１】
複数の照明器具を備える照明システムのコントローラであって、
設置する各照明器具に対して、識別情報を付与する識別情報付与部と、
前記識別情報に従って、各照明器具の通信アドレスを設定する通信アドレス設定部とを備え、
前記識別情報は、所定桁位置の第１データ部と、所定桁位置の第２データ部とを含み、
前記識別情報付与部は、
当初設置する複数の照明器具について、前記第１データ部に、当該第１データ部をキーとしてソートしたとき前記識別情報が照明器具の分類ごとに並ぶようにデータを設定し、前記第２データ部に、所定データを設定した前記識別情報を、それぞれ付与し、
追加する照明器具について、前記第１データ部に、当該照明器具と同じ分類の照明器具に付与されている前記識別情報の前記第１データ部と同じデータを設定し、前記第２データ部に、前記所定データと異なるデータを設定した前記識別情報を付与し、
前記通信アドレス設定部は、
各照明器具に付与された前記識別情報を、前記第１データ部をキーとしてソートし、アドレス順がソート結果の順になるように、各照明器具の通信アドレスを設定することを特徴とする照明システムのコントローラ。
【請求項２】
請求項１記載の照明システムのコントローラにおいて、
前記通信アドレス設定部は、前記照明システムに照明器具が追加されたときに、各照明器具の通信アドレスを再設定することを特徴とする照明システムのコントローラ。
【請求項３】
請求項２記載の照明システムのコントローラにおいて、
当該コントローラは、照明器具ごとに通信アドレスの再設定を行うか否かを設定可能に構成されていることを特徴とする照明システムのコントローラ。
【請求項４】
請求項１〜３のいずれか１項記載の照明システムのコントローラにおいて、
前記識別情報は、２以上の数字、文字、記号、または、アルファベット、もしくは、これらの結合によって、構成されることを特徴とする照明システムのコントローラ。
【請求項５】
請求項１〜４のいずれか１項記載の照明システムのコントローラにおいて、
前記照明器具の分類には、制御チャンネルモードの設定、照明器具の機種、または、照明器具の設置場所のうちいずれか１つが含まれることを特徴とする照明システムのコントローラ。
【請求項６】
複数の照明器具と、当該複数の照明器具を制御するために各照明器具に照明制御信号を送信するコントローラとを備える照明システムであって、
前記コントローラは、
照明システムに設置する各照明器具に対して、識別情報を付与する識別情報付与部と、
前記識別情報に従って、各照明器具の通信アドレスを設定する通信アドレス設定部とを備え、
前記識別情報は、所定桁位置の第１データ部と、所定桁位置の第２データ部とを含み、
前記識別情報付与部は、
当初設置する複数の照明器具について、前記第１データ部に、当該第１データ部をキーとしてソートしたとき前記識別情報が照明器具の分類ごとに並ぶようにデータを設定し、前記第２データ部に、所定データを設定した前記識別情報を、それぞれ付与し、
追加する照明器具について、前記第１データ部に、当該照明器具と同じ分類の照明器具に付与されている前記識別情報の前記第１データ部と同じデータを設定し、前記第２データ部に、前記所定データと異なるデータを設定した前記識別情報を付与し、
前記通信アドレス設定部は、
各照明器具に付与された前記識別情報を、前記第１データ部をキーとしてソートし、アドレス順がソート結果の順になるように、各照明器具の通信アドレスを設定することを特徴とする照明システム。
【請求項７】
複数の照明器具を備える照明システムにおいて、各照明器具に通信アドレスを設定する方法であって、
所定桁位置の第１データ部と、所定桁位置の第２データ部とを含む識別情報を用い、
当初設置する複数の照明器具について、前記第１データ部に、当該第１データ部をキーとしてソートしたとき前記識別情報が照明器具の分類ごとに並ぶようにデータを設定し、前記第２データ部に、所定データを設定した前記識別情報を、それぞれ付与する第１ステップと、
追加する照明器具について、前記第１データ部に、当該照明器具と同じ分類の照明器具に付与されている前記識別情報の前記第１データ部と同じデータを設定し、前記第２データ部に、前記所定データと異なるデータを設定した前記識別情報を付与する第２ステップと、
各照明器具に付与された前記識別情報を、前記第１データ部をキーとしてソートし、アドレス順がソート結果の順になるように、各照明器具の通信アドレスを設定する第３ステップとを備えることを特徴とする照明システムの通信アドレス設定方法。
【発明の詳細な説明】
【技術分野】
【０００１】
本発明は、複数の照明器具を含む照明システムにおいて、コントローラと照明器具との間で通信を行う際に用いられる通信アドレスを設定する技術に関するものである。
【背景技術】
【０００２】
従来より、コントローラから複数の照明器具に照明制御信号を送信して、各照明器具の光源を制御する照明システムが知られている。特許文献１には、コントローラから各照明器具に照明制御信号を送信する際に用いられる通信アドレスを容易に設定する技術が開示されている。
【先行技術文献】
【特許文献】
【０００３】
【特許文献１】特開２０１７−２２０４３５号公報
【発明の概要】
【発明が解決しようとする課題】
【０００４】
ところで、既設の照明システムに照明器具を追加した場合、コントローラと追加された照明器具との間で照明制御信号の送受信を行うために、追加された照明器具に通信アドレスを設定する必要がある。この場合、追加された照明器具には、既設の照明器具に使用されていない通信アドレスが設定される。
【０００５】
このような設定方法で通信アドレスを設定した場合、追加された照明器具と同じ分類（例えば、機種、設置場所等が同じ）の照明器具が既設の照明器具に含まれていると、これらの通信アドレスが離れて設定されることがある。同じ分類の照明器具は、同時に同一制御が行われることが多いため、同じ分類の照明器具の通信アドレスが離れて設定されると、照明器具の制御や管理がしにくくなる。特に、照明器具の台数が多い照明システムでは、照明器具の設定ミスが生じやすくなる。
【０００６】
本発明は、コントローラにより複数の照明器具を制御する照明システムにおいて、既設の照明システムに照明器具を追加した場合、照明器具の制御や管理を行いやすくすることを目的とする。
【課題を解決するための手段】
【０００７】
上記の目的を達成するために、照明システムのコントローラは、複数の照明器具を備える照明システムにおいて、設置する各照明器具に対して、識別情報を付与する識別情報付与部と、前記識別情報に従って、各照明器具の通信アドレスを設定する通信アドレス設定部とを備える。前記識別情報は、所定桁位置の第１データ部と、所定桁位置の第２データ部とを含む。前記識別情報付与部は、当初設置する複数の照明器具について、前記第１データ部に、当該第１データ部をキーとしてソートしたとき前記識別情報が照明器具の分類ごとに並ぶようにデータを設定し、前記第２データ部に、所定データを設定した前記識別情報を、それぞれ付与し、追加する照明器具について、前記第１データ部に、当該照明器具と同じ分類の照明器具に付与されている前記識別情報の前記第１データ部と同じデータを設定し、前記第２データ部に、前記所定データと異なるデータを設定した前記識別情報を付与する。前記通信アドレス設定部は、各照明器具に付与された前記識別情報を、前記第１データ部をキーとしてソートし、アドレス順がソート結果の順になるように、各照明器具の通信アドレスを設定する。
【発明の効果】
【０００８】
本発明によると、コントローラにより複数の照明器具を制御する照明システムにおいて、既設の照明システムに照明器具を追加した場合、照明器具の制御や管理を行いやすくなる。
【図面の簡単な説明】
【０００９】
【図１】照明システムの構成例を示すブロック図。
【図２】照明システムの接続例を示す図。
【図３】照明器具と通信アドレスとの対応例を示す図。
【図４】（ａ），（ｂ）は照明システムの動作を示すフローチャート。
【図５】照明器具と通信アドレスとの対応の他の例を示す図。
【発明を実施するための形態】
【００１０】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００１１】
（照明システムの全体構成）
図１は実施形態に係る照明システムの構成例を示すブロック図であり、図２は照明システムの接続例を示す図である。なお、図１では、照明器具２，３の内部構成は同一であるため、図示を省略している。また、図２では、コントローラ１および照明器具２（２Ａ〜２Ｌ），３の内部構成を省略して図示している。
【００１２】
図１および図２に示すように、実施形態に係る照明システムＡは、コントローラ１と、複数の照明器具２（２Ａ〜２Ｌ），３とを備える。コントローラ１および照明器具２，３は、ネットワーク４に接続され、ネットワーク４を介して、互いに通信可能である。ネットワーク４は、例えば、ＤＭＸ（Digital Multiplex）ケーブル等で構成された通信網である。
【００１３】
照明システムＡでは、コントローラ１は、ネットワーク４を介して、照明器具２，３に照明制御信号を送信する。照明器具２，３は、照明制御信号に含まれる各光源２４の態様を示す制御値に基づき、自己の光源２４の態様（光源の色彩、強度、向き等）を変化させる。
【００１４】
（コントローラの構成）
コントローラ１は、操作部１１と、記憶部１２と、制御部１３と、通信部１４とを備える。
【００１５】
操作部１１は、ユーザからの操作入力を受け付ける。操作部１１は、例えば、キーボード、マウス、タッチパネル、フェーダ等の入力装置であり、各照明器具２，３の光源２４の態様（光源の色彩、強度、向き等）を変化させるために行われたユーザの操作入力を検出し、検出結果に応じた信号を制御部１３に出力する。なお、コントローラ１に表示部を設けて、この表示部に各照明器具２，３の光源２４の態様を表示するようにしてもよい。
【００１６】
記憶部１２はＲＯＭ（Read Only Memory)、ＲＡＭ（Random Access Memory）、ＨＤＤ（Hard Disk Drive）およびＳＳＤ(Solid State Drive)等によって構成された記憶媒体である。記憶部１２には、制御部１３によって実行される各種プログラムが記憶されている。また、記憶部１２には、制御チャンネルモードの設定情報、識別情報および通信アドレスが照明器具２，３ごとに記憶されている。なお、制御チャンネルモードの設定情報、識別情報および通信アドレスについては、後に詳述する。
【００１７】
制御部１３は、例えば、ＣＰＵ（Central Processing Unit）および半導体メモリ等を含むマイクロコンピュータで構成される。制御部１３は、記憶部１２に記憶された各種プログラムを実行することにより、各照明器具２，３との間で照明制御信号の送受信を行う。具体的に、制御部１３は、各照明器具２，３の光源２４の態様を示す制御値を含む照明制御信号を生成し、通信部１４に出力する。
【００１８】
また、制御部１３は、識別情報付与部１５と、通信アドレス設定部１６とを備える。
【００１９】
識別情報付与部１５は、各照明器具２，３に、識別番号を含む識別情報を付与する。識別情報付与部１５によって付与された識別情報は、対応する照明器具２，３と関連付けられて、記憶部１２に記憶される。
【００２０】
通信アドレス設定部１６は、記憶部１２に記憶された識別情報に基づいて、各照明器具２，３に通信アドレスを設定する。
【００２１】
通信部１４は、例えば、電気回路等で構成され、制御部１３から入力される照明制御信号をネットワーク４に出力する。
【００２２】
（照明器具の構成）
照明器具２（２Ａ〜２Ｌ），３は、それぞれ、通信部２１と、記憶部２２と、制御部２３と、光源２４とを備える。
【００２３】
通信部２１は、例えば、電気回路等で構成され、ネットワーク４を介して、コントローラ１から出力される照明制御信号を受信する。通信部２１は、受信した照明制御信号を制御部２３に出力する。
【００２４】
記憶部２２は、ＲＯＭ、ＲＡＭ、ＨＤＤおよびＳＳＤ等によって構成された記憶媒体である。記憶部２２には、制御部２３によって実行される各種プログラムが記憶されている。また、記憶部２２には、自己に設定された通信アドレスが記憶されている。
【００２５】
また、記憶部２２には、制御チャンネルモードの設定が記憶されている。制御チャンネルモードには、例えば、照明制御信号に含まれる１個の制御値に従って光源の態様を変化させる「単色１ｃｈモード」、照明制御信号に含まれる３個の制御値に従って光源の態様を変化させる「ＲＧＢ（Red，Green，Blue）３ｃｈモード」、および、照明制御信号に含まれる５個の制御値に従って光源の態様を変化させる「ＩＲＧＢＷ（Intensity，Red，Green，Blue，White）５ｃｈモード」等が含まれる。記憶部２２には、自己がいずれの制御チャンネルモードに設定されているかが記憶されている。
【００２６】
制御部２３は、例えば、ＣＰＵおよび半導体メモリ等を含むマイクロコンピュータで構成される。制御部２３は、記憶部２２に記憶された各種プログラムを実行することにより、自己の光源２４の態様を変化させる。具体的には、制御部２３は、通信部２１から照明制御信号を受けた場合、記憶部２２に記憶された通信アドレスに対応する、照明制御信号のデータ領域に含まれる制御値に従って、光源２４の態様を変化させる。
【００２７】
また、制御部２３は、制御チャンネルモードの設定に従って、光源２４の態様を変化させる。例えば、自己の制御チャンネルモードが「ＲＧＢ３ｃｈモード」に設定されていることが記憶部２２に記憶されている場合、制御部２３は、照明制御信号に含まれる３個の制御値に従って、光源２４の態様を変化させる。
【００２８】
光源２４は、例えば、ハロゲンランプ、蛍光灯およびＬＥＤ等で構成される。光源２４は、例えば、赤色（Red）、緑色（Green）および青色（Blue）の発光素子を有するものや、赤色、緑色、青色および白色（White）の発光素子を有するもので構成される。
【００２９】
（照明制御信号について）
照明システムＡでは、コントローラ１の制御部１３は、ＤＭＸ−５１２規格に従って、照明制御信号を生成する。ＤＭＸ−５１２規格では、デジタル形式で照明制御信号が生成され、１つの照明制御信号に５１２のデータ領域（チャンネル）を含むことができる。照明制御信号は、各データ領域に１個の制御値を含む。
【００３０】
ここで、記憶部１２には、各照明器具２，３の通信アドレスが記憶されている。この通信アドレスは、照明制御信号において、各照明器具２，３の制御値が含まれるデータ領域を示すものである。例えば、照明器具２Ａの通信アドレスが「１」に設定されている場合、制御部１３は、照明器具２Ａの制御値を１番目のデータ領域に含む照明制御信号を生成する。すなわち、制御部１３は、記憶部１２に記憶された通信アドレスに従って、照明制御信号を生成する。
【００３１】
また、照明器具２，３は、設定された制御チャンネルモードによって、光源２４の態様を変化させるために必要とする制御値が異なる。このため、記憶部１２には、制御チャンネルモードの設定情報が記憶されている。この制御チャンネルモードの設定情報は、各照明器具２，３に設定されている制御チャンネルモードを示すものである。通信アドレス設定部１６は、記憶部１２に記憶された制御チャンネルモードの設定情報に従って、通信アドレスを設定する。
【００３２】
例えば、照明器具２Ａが「単色１ｃｈモード」に設定されている場合には、通信アドレス設定部１６は、１つのデータ領域を示す通信アドレスを、照明器具２Ａに設定する。また、照明器具２Ｅが「ＲＧＢ３ｃｈモード」に設定されている場合には、通信アドレス設定部１６は、３つのデータ領域を示す通信アドレスを、照明器具２Ｅに設定する。
【００３３】
（通信アドレスの設定方法について）
図３は照明器具と通信アドレスとの対応例を示す図である。図３に示すように、照明器具２Ａ〜２Ｌ，３には、それぞれ、制御チャンネルモード、識別情報、アドレス自動設定機能および通信アドレスが設定されている。なお、アドレス自動設定機能については、後述する。
【００３４】
本実施形態では、照明器具２，３に設定された制御チャンネルモードに従って、各照明器具２，３が分類される。すなわち、同一の制御チャンネルモードに設定された照明器具２，３は、同じ分類の照明器具となる。
【００３５】
図３に示すように、照明器具２Ａ〜２Ｄ、照明器具２Ｅ〜２Ｈ，３および照明器具２Ｉ〜２Ｌは、制御チャンネルモードが「単色１ｃｈモード」、「ＲＧＢ３ｃｈモード」および「ＩＲＧＢＷ５ｃｈモード」にそれぞれ設定されている。すなわち、本実施形態では、照明器具２Ａ〜２Ｄ、照明器具２Ｅ〜２Ｈ，３および照明器具２Ｉ〜２Ｌが、それぞれ同じ分類の照明器具となる。
【００３６】
識別情報は、識別情報付与部１５によって、照明器具２Ａ〜２Ｌ，３にそれぞれ付与されるものである。識別情報には、先頭部分に３桁の数字で構成される識別番号が含まれている。この識別番号の、上から１，２桁目が第１データ部に相当し、上から３桁目が第２データ部に相当する。
【００３７】
ここで、照明器具２Ａ〜２Ｌは、照明システムＡの設置当初から、照明システムＡに設置されているものであり、照明器具３は、照明システムＡの設置後に、照明システムＡに追加されたものであるとする。
【００３８】
この場合、識別情報付与部１５は、当初から照明システムＡに設置されている照明器具２Ａ〜２Ｌについて、第１データ部に、この第１データ部をキーとしてソートしたとき識別情報が照明器具の分類ごとに並ぶようにデータを設定し、第２データ部に、所定データを設定した識別情報を、それぞれ付与する。また、識別情報付与部１５は、照明システムＡの設置後に追加される照明器具３について、第１データ部に、照明器具３と同じ分類の照明器具（照明器具２Ａ〜２Ｌのうち照明器具３と同じ分類の照明器具）に付与されている識別情報の第１データ部と同じデータを設定し、第２データ部に、所定データと異なるデータを設定した識別情報を、付与する。
【００３９】
具体的に、照明器具２Ａ〜２Ｄは、同一の制御チャンネルモードに設定されており、当初から照明システムＡに設置されていたものである。このため、照明器具２Ａ〜２Ｄには、第１データ部が連続し、第２データ部が所定データ（ここでは「０」）となる識別番号（「０１０」〜「０４０」）がそれぞれに付与される。また、照明器具２Ｅ〜２Ｈおよび照明器具２Ｉ〜２Ｌは、それぞれが、同一の制御チャンネルモードに設定されており、当初から照明システムＡに設置されているため、同様に識別番号が付与される（照明器具２Ｅ〜２Ｈには識別番号「０５０」〜「０８０」がそれぞれに付与され、照明器具２Ｅ〜２Ｈには識別番号「０９０」〜「１２０」がそれぞれに付与される）。
【００４０】
また、照明器具３は、照明システムＡに当初設置されている照明器具２Ｅ〜２Ｈと同一の制御チャンネルモードに設定されており、照明システムＡの設置後に、照明システムＡに追加されたものである。このため、照明器具３には、第１データ部が、照明器具２Ｅ〜２Ｈのいずれかと同じデータ（ここでは、照明器具２Ｈと同じデータ「０８」）であり、第２データ部が所定データと異なるデータ（ここでは「５」）である識別番号「０８５」が付与される。
【００４１】
通信アドレス設定部１６は、各照明器具２Ａ〜２Ｌ，３に付与された識別情報を、第１データ部をキーとしてソートし、アドレス順がソート結果の順になるように、各照明器具２Ａ〜２Ｌ，３の通信アドレスを設定する。
【００４２】
具体的に、通信アドレス設定部１６は、識別番号が小さい順（第１データ部に含まれる数字が小さい順）に、照明器具２Ａ〜２Ｌ，３の通信アドレスを設定する。図３では、照明器具３の識別番号の第１データ部は「０８」であり、照明器具３と同一の制御チャンネルモードに設定された照明器具２Ｈの識別番号の第１データ部は「０８」である。このため、同一の制御チャンネルモードに設定された照明器具２Ｅ〜２Ｈ，３には、連続する通信アドレスが設定される。
【００４３】
（照明システムの動作）
図１〜図４を参照しつつ、照明システムの動作を説明する。図４（ａ），（ｂ）は照明システムＡの動作を示すフローチャートである。具体的に、図４（ａ）は設置当初の照明システムの動作を示し、図４（ｂ）は照明器具を追加したときの照明システムの動作を示す。
【００４４】
まず、照明システムＡの設置当初の動作を説明する。
【００４５】
図４（ａ）に示すように、照明システムＡにコントローラ１と照明器具２Ａ〜２Ｌとが設置される（ステップＳ１１）。例えば、照明システムＡにおいて、コントローラ１と照明器具２Ａ〜２Ｌとが、ネットワーク４に接続され、互いに通信可能となる。
【００４６】
ステップＳ１２において、コントローラ１の識別情報付与部１５は、照明器具２Ａ〜２Ｌにそれぞれ識別情報を付与する。図３に示すように、照明器具２Ａ〜２Ｄ，２Ｅ〜２Ｈ，２Ｉ〜２Ｌは、それぞれ、同一の制御チャンネルモードに設定されている。このため、識別情報付与部１５は、照明器具２Ａ〜２Ｄ，２Ｅ〜２Ｈ，２Ｉ〜２Ｌには、第１データ部が連続し、第２データ部が所定データ（ここでは「０」）となる識別番号（「０１０」〜「０４０」，「０５０」〜「０８０」，「０９０」〜「１２０」）を含んだ識別情報をそれぞれに付与する。識別情報付与部１５により付与された識別情報は、照明器具２Ａ〜２Ｌごとに関連付けられて、コントローラ１の記憶部１２に記憶される。
【００４７】
ステップＳ１３において、コントローラ１の通信アドレス設定部１６は、照明器具２Ａ〜２Ｌの通信アドレスを設定する。通信アドレス設定部１６は、識別情報に含まれる識別番号の第１データ部が小さい順に、照明器具２Ａ〜２Ｌの通信アドレスを設定する。すなわち、通信アドレス設定部１６により、照明器具２Ａ〜２Ｌには、設定された制御チャンネルモードごとに連続する通信アドレスが設定される。通信アドレス設定部１６により照明器具２Ａ〜２Ｌに設定された通信アドレスは、各照明器具２Ａ〜２Ｌと関連付けられて、コントローラ１の記憶部１２に記憶される。
【００４８】
ステップＳ１３の後、通信アドレス設定部１６により設定された通信アドレスは、図略の通知手段により、各照明器具２Ａ〜２Ｌに通知される。
【００４９】
次に、照明器具３を追加したときの照明システムの動作を説明する。
【００５０】
図４（ｂ）に示すように、照明システムＡに照明器具３が追加される（ステップＳ２１）。例えば、照明器具３がネットワーク４に接続され、コントローラ１と通信可能となる。
【００５１】
ステップＳ２２において、識別情報付与部１５は、照明器具３に識別情報を付与する。識別情報付与部１５は、照明器具３と同一の制御チャンネルモードに設定されている照明器具２Ｅ〜２Ｈのうち照明器具２Ｈに付与されている識別情報の第１データ部と同一のデータ（ここでは「０８」）を第１データ部に含み、所定データとは異なるデータ（ここでは「５」）を第２データ部に含む識別情報を照明器具３に付与する。識別情報付与部１５により照明器具３に付与された識別情報は、照明器具３と関連付けられて、記憶部１２に記憶される。
【００５２】
ステップＳ２３において、照明器具２Ａ〜２Ｌ，３の通信アドレスの再設定を行う。ステップＳ１３と同様に、通信アドレス設定部１６は、識別情報に含まれる識別番号の第１データ部が小さい順に、照明器具２Ａ〜２Ｌ，３の通信アドレスを設定する。すなわち、照明器具３の通信アドレスは、同一の制御チャンネルモードに設定されている照明器具２Ｈの通信アドレスと連続するように設定される。これに伴い、照明器具２Ｉ〜２Ｌの通信アドレスが再設定される。
【００５３】
ステップＳ２３の後、通信アドレス設定部１６により設定された通信アドレスは、図略の通知手段により、各照明器具２Ａ〜２Ｌ，３に通知される。
【００５４】
以上の構成により、本照明システムＡでは、コントローラ１は、設置する各照明器具２（２Ａ〜２Ｌ），３に対して、識別情報を付与する識別情報付与部１５と、識別情報付与部１５によって付与された識別情報に従って、各照明器具２Ａ〜２Ｌ，３の通信アドレスを設定する通信アドレス設定部１６とを備える。識別情報は、識別番号の上から１，２桁目に位置する第１データ部と、識別番号の上から３桁目に位置する第２データ部とを含む。識別情報付与部１５は、照明システムＡに当初から設置されている照明器具２Ａ〜２Ｌについて、第１データ部に、第１データ部をキーとしてソートしたとき識別情報が設定された制御チャンネルモード（照明器具の分類）ごとに並ぶようにデータを設定し、第２データ部に、所定データ（ここでは「０」）を設定した識別情報を、それぞれ付与する。また、識別情報付与部１５は、照明システムＡに追加された照明器具３について、第１データ部に、照明器具と同一の制御チャンネルモードに設定された照明器具２Ｈ（同じ分類の照明器具）に付与されている識別情報の第１データ部と同じデータ（ここでは「０８」）を設定し、第２データ部に、前記所定データと異なるデータ（ここでは「５」）を設定した識別情報を付与する。通信アドレス設定部１６は、各照明器具２Ａ〜２Ｌ，３に付与された識別情報を、第１データ部をキーとしてソートし、アドレス順がソート結果の順（識別番号の第１データ部が小さい順）になるように、各照明器具２Ａ〜２Ｌ，３の通信アドレスを設定する。このため、照明システムの設置後に照明システムに追加された照明器具には、照明システムに当初から設置されている照明器具のうち、追加された照明器具と同一の制御チャンネルモードに設定された照明器具の通信アドレスと連なる通信アドレスが設定される。これにより、照明システムに照明器具を追加した場合、追加された照明器具には、同一の制御チャンネルモードに設定された、すなわち、同じ分類の照明器具と連なるように通信アドレスが設定されるため、照明器具の制御や管理が行いやすくなる。
【００５５】
また、通信アドレス設定部１６は、照明システムＡに照明器具３が追加されたときに、各照明器具２，３の通信アドレスの再設定を行う。これにより、照明システムＡに照明器具３を追加した場合、自動的に通信アドレスの設定が行われる。
【００５６】
なお、通信アドレス設定部１６は、各照明器具２，３の識別番号が大きい順に、照明器具２，３の通信アドレスを設定してもよい。
【００５７】
（その他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００５８】
上記実施形態について、以下のような構成としてもよい。なお、特に言及しない限り、照明システムＡは、図１，２と同様に構成されているものとする。
【００５９】
図５は図２における照明器具と通信アドレスとの対応の他の例を示す図である。図５では、図２とは異なり、照明器具２Ｊは、アドレス自動設定機能が「ＯＦＦ」に設定されている。アドレス自動設定機能が「ＯＦＦ」に設定されている場合、照明システムＡに照明器具３が追加されても、その照明器具に設定された通信アドレスは変更されない。すなわち、照明器具２Ｊに設定された通信アドレスは変更されない。従って、照明システムＡに照明器具が追加された場合、コントローラ１は、照明器具２，３ごとに通信アドレスの再設定を行うか否かを設定可能に構成されている。これにより、例えば、常設の照明器具等、通信アドレスを固定しておきたい照明器具がある場合に対応することができる。
【００６０】
なお、通信アドレス設定部１６が各照明器具２，３に通信アドレスを設定した場合、コントローラ１は、ＤＭＸ規格またはＲＤＭ（Remote Device Management）規格に従った通信プロトコルにより、通信アドレス設定部１６によって設定された通信アドレスを含む専用信号を生成し、ネットワーク４を介して、専用信号を各照明器具２，３に送信するように構成してもよい。
【００６１】
また、上記実施形態では、識別情報は、識別番号の１，２桁目を第１データ部とし、識別番号の３桁目を第２データ部とするものとしたが、これに限られない。例えば、識別情報のいずれの位置を第１データ部としてもよいし、第１データ部を１桁または３桁以上としてもよい。また、識別情報のいずれの位置を第２データ部としてもよいし、第２データ部を２桁以上としてもよい。
【００６２】
また、上記実施形態では、識別情報は、数字とアルファベットとの結合によって構成するものとしたが、これに限られない。識別情報は、２以上の数字、文字、記号、または、アルファベット、もしくは、これらの結合によって構成してもよい。例えば、識別情報を２つのアルファベットで構成し、１つ目のアルファベットを第１データ部とし、２つ目のアルファベットを第２データ部としてもよい。この場合、通信アドレス設定部１６は、識別情報の第１データ部をアルファベット順にソートして、各照明器具２，３に通信アドレスを設定してもよい。また、識別情報を２つの文字または記号で構成し、１つ目の文字または記号を第１データ部とし、２つ目の文字または記号を第２データ部としてもよい。この場合、通信アドレス設定部１６は、識別情報の第１データ部を辞書順、または、文字コード（ＡＳＣＩＩコード、ＪＩＳコード等）順にソートして、各照明器具２，３に通信アドレスを設定してもよい。
【００６３】
また、上記実施形態では、識別情報付与部１５は、照明器具２，３に設定された制御チャンネルモードに従って、照明器具２，３を分類して、識別情報を付与するものとしたが、これに限られない。例えば、識別情報付与部１５は、照明器具２，３の機種または設置場所に従って、照明器具２，３を分類して、識別情報を付与してもよい。また、識別情報付与部１５は、同一制御を行う照明器具２，３ごとに分類して、識別情報を付与してもよい。
【００６４】
また、上記実施形態では、識別情報付与部１５は、照明器具２の分類（本実施形態では、設定された動作チャンネルモード）ごとに第１データ部が連続するように識別情報を付与するものとしたが、これに限られない。識別情報付与部１５は、少なくとも、同じ分類の照明器具２の間に、異なる分類の照明器具２が含まれないように第１データ部の付与を行えばよく、必ずしも照明器具２の分類ごとに第１データ部を連続させなくてもよい。
【００６５】
また、通信アドレス設定部１６は、第１データ部をキーとしてソートした順に、照明器具２，３に連続する通信アドレスを設定するものとしたが、これに限られない。通信アドレス設定部１６は、照明器具２，３に設定する通信アドレスを連続させなくてもよい。
【符号の説明】
【００６６】
Ａ  照明システム
１  コントローラ
２，３  照明器具
１５  識別情報付与部
１６  通信アドレス設定部
【図１】
2020136129.tif 000003
【図２】
2020136129.tif 000004
【図３】
2020136129.tif 000005
【図４】
2020136129.tif 000006
【図５】
2020136129.tif 000007